(57)【要約】【課題】小さい力でケース本体にカバーを取り付けることができる電気接続箱を提供する。【解決手段】電気接続箱１Ａは、ケース本体２Ａと、ケース本体２Ａに取り付けられるロアカバー３Ａと、ケース本体２Ａにロアカバー３Ａが取り付けられることによってこれらケース本体２Ａとロアカバー３Ａとで筒状に構成されるハーネス通し口５Ａと、ハーネス通し口５Ａを通されるハーネス８と、ハーネス８の外周に巻かれかつハーネス通し口５Ａの内側に位置付けられる弾性を有する防水シート９と、を有している。前記ハーネス通し口５Ａは、外周に防水シート９が巻かれたハーネス８の外径ｄ１よりも内径ｃ２が大きい大径部１１と、外周に防水シート９が巻かれたハーネス８の外径ｄ１よりも内径ｃ１が小さい小径部１２と、を有している。【選択図】図２
2010136468.tif 000002
【特許請求の範囲】
【請求項１】
ケース本体と、該ケース本体に取り付けられるカバーと、前記ケース本体に前記カバーが取り付けられることによってこれらケース本体とカバーとで筒状に構成されるハーネス通し口と、該ハーネス通し口を通されるハーネスと、該ハーネスの外周に巻かれかつ前記ハーネス通し口の内側に位置付けられる弾性を有するシートと、を有する電気接続箱において、
前記ハーネス通し口が、外周に前記シートが巻かれた前記ハーネスの外径よりも内径が大きい大径部と、外周に前記シートが巻かれた前記ハーネスの外径よりも内径が小さい小径部と、を有していることを特徴とする電気接続箱。
【請求項２】
前記ハーネス通し口が、前記大径部を構成する円筒状の円筒部と、前記円筒部の内面に設けられ当該円筒部の一端側から他端側に向かうにしたがって徐々に当該円筒部の中心に近付く方向に傾斜した、前記小径部を構成するテーパ部と、を有していることを特徴とする請求項１に記載の電気接続箱。
【請求項３】
前記ハーネス通し口が、前記大径部を構成する円筒状の円筒部と、前記円筒部の内面から突出し当該円筒部の周方向に沿って直線状に延びた、前記小径部を構成するリブと、を有していることを特徴とする請求項１に記載の電気接続箱。
【発明の詳細な説明】
【技術分野】
【０００１】
本発明は、自動車のエンジンルームなどに取り付けられる電気接続箱に関するものである。
【背景技術】
【０００２】
自動車には多種多様な電子機器が搭載されている。これら多種多様な電子機器に電力を供給するために、前記自動車には、電源と前記電子機器との間の適宜箇所に、ヒューズやリレー等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図４は従来の電気接続箱を示す断面図である。
【０００５】
図４に示す電気接続箱１０１（特許文献１を参照。）は、各種電気部品１１５，１１６が取り付けられるケース本体１０２と、このケース本体１０２の下面側に取り付けられるカバーとしてのロアカバー１０３と、ケース本体１０２の上面側に取り付けられるアッパカバー１０４と、ケース本体１０２にロアカバー１０３が取り付けられることによってこれらケース本体１０２とロアカバー１０３とで円筒状に構成されるハーネス通し口１０５と、該ハーネス通し口１０５を通されるハーネス１０８と、該ハーネス１０８の外周に巻かれかつハーネス通し口１０５の内側に位置付けられる弾性を有するシートとしての防水シート１０９と、を有している。
【０００６】
上記ハーネス通し口１０５は、ケース本体１０２の外壁１２１の下縁から鍔状に立設した立設部１０６と、ロアカバー１０３の前記外壁１２１と重なる外壁１３１の上縁から鍔状に立設した立設部１０７と、により構成されている。また、これら立設部１０６と立設部１０７とは、ケース本体１０２にロアカバー１０３が取り付けられることによって互いに重ねられてハーネス通し口１０５を構成する。
【０００７】
上記ハーネス１０８は、ケース本体１０２に取り付けられる各種電気部品１１５，１１６と、前記自動車に搭載された各種電子機器と、を互いに接続する複数本の電線が束ねられたものである。このハーネス１０８は、前記自動車の車種やグレードによって外径寸法、即ち電線の数、が異なることなどから、特に、ハーネス１０８の外径寸法が小さい場合などに、このハーネス１０８の外周に防水シート１０９を巻くことで、ハーネス１０８とハーネス通し口１０５との間に生じる隙間を埋めて該隙間から水等の液体がケース本体１０２内に浸入することを防止していた。
【０００８】
また、上記電気接続箱１０１は、ハーネス１０８の防水シート１０９が巻かれた部分を立設部１０６と立設部１０７との間に位置付けた状態で、前記防水シート１０９が巻かれた部分を立設部１０６と立設部１０７との間に挟むようにしてケース本体１０２にロアカバー１０３が取り付けられることによって組み立てられていた。
【特許文献１】特開２００７−２５９６５２号公報
【発明の開示】
【発明が解決しようとする課題】
【０００９】
しかしながら、前述した従来の電気接続箱１０１には、以下に示す問題があった。即ち、前述したハーネス通し口１０５においては、その内面全体でハーネス１０８の防水シート１０９が巻かれた部分を圧迫し、この防水シート１０９を押し潰す構成であったことから、ケース本体１０２にロアカバー１０３を取り付ける際に、ロアカバー１０３を押し付ける大きな力が必要であるという問題があった。
【００１０】
したがって、本発明は、小さい力でケース本体にカバーを取り付けることができる電気接続箱を提供することを目的とする。
【課題を解決するための手段】
【００１１】
上記目的を達成するために、請求項１に記載された発明は、ケース本体と、該ケース本体に取り付けられるカバーと、前記ケース本体に前記カバーが取り付けられることによってこれらケース本体とカバーとで筒状に構成されるハーネス通し口と、該ハーネス通し口を通されるハーネスと、該ハーネスの外周に巻かれかつ前記ハーネス通し口の内側に位置付けられる弾性を有するシートと、を有する電気接続箱において、前記ハーネス通し口が、外周に前記シートが巻かれた前記ハーネスの外径よりも内径が大きい大径部と、外周に前記シートが巻かれた前記ハーネスの外径よりも内径が小さい小径部と、を有していることを特徴とする電気接続箱である。
【００１２】
請求項２に記載された発明は、請求項１に記載された発明において、前記ハーネス通し口が、前記大径部を構成する円筒状の円筒部と、前記円筒部の内面に設けられ当該円筒部の一端側から他端側に向かうにしたがって徐々に当該円筒部の中心に近付く方向に傾斜した、前記小径部を構成するテーパ部と、を有していることを特徴とするものである。
【００１３】
請求項３に記載された発明は、請求項１に記載された発明において、前記ハーネス通し口が、前記大径部を構成する円筒状の円筒部と、前記円筒部の内面から突出し当該円筒部の周方向に沿って直線状に延びた、前記小径部を構成するリブと、を有していることを特徴とするものである。
【発明の効果】
【００１４】
請求項１に記載された発明によれば、前記ハーネス通し口が、外周に前記シートが巻かれた前記ハーネスの外径よりも内径が大きい大径部と、外周に前記シートが巻かれた前記ハーネスの外径よりも内径が小さい小径部と、を有しているので、前記小径部のみを前記シートに食い込ませることでハーネスとハーネス通し口との間に生じる隙間を埋めることができ、そのために、小さい力でケース本体にカバーを取り付けることができる電気接続箱を提供することができる。
【００１５】
請求項２に記載された発明によれば、前記ハーネス通し口が、前記大径部を構成する円筒状の円筒部と、前記円筒部の内面に設けられ当該円筒部の一端側から他端側に向かうにしたがって徐々に当該円筒部の中心に近付く方向に傾斜した、前記小径部を構成するテーパ部と、を有しているので、前記小径部及び前記テーパ部を前記シートに食い込ませることでハーネスとハーネス通し口との間に生じる隙間を埋めることができ、そのために、小さい力でケース本体にカバーを取り付けることができる電気接続箱を提供することができる。
【００１６】
請求項３に記載された発明によれば、前記ハーネス通し口が、前記大径部を構成する円筒状の円筒部と、前記円筒部の内面から突出し当該円筒部の周方向に沿って直線状に延びた、前記小径部を構成するリブと、を有しているので、前記小径部及び前記リブを前記シートに食い込ませることでハーネスとハーネス通し口との間に生じる隙間を埋めることができ、そのために、小さい力でケース本体にカバーを取り付けることができる電気接続箱を提供することができる。
【発明を実施するための最良の形態】
【００１７】
（第１の実施形態）
以下、本発明の第１の実施形態に係る電気接続箱を、図１及び図２に基づいて説明する。図１は本発明の第１の実施形態に係る電気接続箱を示す斜視図である。図２は図１中のＡ−Ａ線に沿った断面図である。
【００１８】
本発明の電気接続箱は、自動車のエンジンルームに取り付けられて、前記自動車に搭載された多種多様な電子機器に電力を供給するものである。また、本明細書では、ジャンクションブロック、ヒューズブロック、リレーボックスを、総称して以下電気接続箱と呼ぶ。
【００１９】
上記電気接続箱１Ａは、図１及び図２に示すように、各種電気部品１５，１６が取り付けられるケース本体２Ａと、このケース本体２Ａの下面側に取り付けられるカバーとしてのロアカバー３Ａと、ケース本体２Ａの上面側に取り付けられるアッパカバー４と、ケース本体２Ａにロアカバー３Ａが取り付けられることによってこれらケース本体２Ａとロアカバー３Ａとで円筒状に構成されるハーネス通し口５Ａと、該ハーネス通し口５Ａを通されるハーネス８と、該ハーネス８の外周に巻かれかつハーネス通し口５Ａの内側に位置付けられる弾性を有するシートとしての防水シート９と、を有している。また、ケース本体２Ａとロアカバー３Ａとアッパカバー４とは、合成樹脂で構成され、周知の射出成型によって形成されている。
【００２０】
上記ハーネス８は、ケース本体２Ａに取り付けられる各種電気部品１５，１６と、前記自動車に搭載された各種電子機器と、を互いに接続する複数本の電線が束ねられたものである。このハーネス８は、前記自動車の車種やグレードによって外径寸法、即ち電線の数、が異なる。
【００２１】
上記防水シート９は、ウレタンフォームやウレタンゴム等で構成されており、ハーネス８の外周に巻かれた状態でハーネス通し口５Ａの内面に密着することにより、ハーネス８とハーネス通し口５Ａとの間に生じる隙間を埋める。このことにより、前記隙間からケース本体２Ａ内に水等の液体が浸入することが防止される。
【００２２】
上記ハーネス通し口５Ａは、ケース本体２Ａの外壁２１の下縁から円筒を分割した鍔状に立設した立設部６Ａと、ロアカバー３Ａの前記外壁２１と重なる外壁３１の上縁から円筒を分割した鍔状に立設した立設部７Ａと、により構成されている。また、これら立設部６Ａと立設部７Ａとは、ケース本体２Ａにロアカバー３Ａが取り付けられることによって互いに重ねられてハーネス通し口５Ａを構成する。また、ハーネス通し口５Ａは、ケース本体２Ａの内部と外部とにわたって連通している。
【００２３】
また、上記ハーネス通し口５Ａは、外周に防水シート９が巻かれたハーネス８の外径ｄ１よりも内径ｃ２が大きい大径部１１（図２中に二点鎖線で囲んで示す。）と、外周に防水シート９が巻かれたハーネス８の外径ｄ１よりも内径ｃ１が小さい小径部１２（図２中に一点鎖線で囲んで示す。）と、を有している。また、「外周に防水シート９が巻かれたハーネス８の外径ｄ１」とは、防水シート９とハーネス８とを合わせたものの外径である。
【００２４】
また、上記ハーネス通し口５Ａは、前記大径部１１を構成する円筒状の円筒部５０と、円筒部５０の内面に設けられ当該円筒部５０の一端側から他端側に向かうにしたがって徐々に当該円筒部５０の中心に近付く方向に傾斜した、前記小径部１２を構成するテーパ部５１と、を有している。即ち、前記円筒部５０は、立設部６Ａと立設部７Ａとで構成されている。また、前記テーパ部５１は、立設部７Ａの内面に設けられている。また、「円筒部５０の一端」とは、円筒部５０の外壁２１から離れた側の端部を意味しており、「円筒部５０の他端」とは、円筒部５０の外壁２１寄りの端部を意味している。
【００２５】
上記構成のハーネス通し口５Ａは、テーパ部５１が、ハーネス８の外周に巻かれた防水シート９に食い込んで、この防水シート９を圧迫し、この防水シート９をハーネス８の中心に向かって押し潰す。このことにより、防水シート９がハーネス８とハーネス通し口５Ａの内面、即ち小径部１２の内面、との間を水密に保つ。
【００２６】
このように、本発明では、ハーネス通し口５Ａの一部分のみが防水シート９に食い込んで、食い込んだ部分によってハーネス８とハーネス通し口５Ａとの間を止水する。即ち、本発明の「小径部１２」即ち「テーパ部５１」は、ハーネス８の外周に巻かれた防水シート９に食い込む形状及び寸法に形成されている。
【００２７】
また、上記電気接続箱１Ａは、ハーネス８の防水シート９が巻かれた部分を立設部６Ａと立設部７Ａとの間に位置付けた状態で、前記防水シート９が巻かれた部分を立設部６Ａと立設部７Ａとの間に挟むようにしてケース本体２Ａにロアカバー３Ａが取り付けられることによって組み立てられる。また、図１に示すように、ケース本体２Ａの外壁２１に設けられたロック受け部２２に、ロアカバー３Ａの外壁３１に設けられたロックアーム３２が嵌まることで、ケース本体２Ａにロアカバー３Ａが取り付けられる。
【００２８】
上述した本発明によれば、小径部１２のみを防水シート９に食い込ませることでハーネス８とハーネス通し口５Ａとの間に生じる隙間を埋めることができ、そのために、小さい力でケース本体２Ａにロアカバー３Ａを取り付けることができる。
【００２９】
（第２の実施形態）
続いて、本発明の第２の実施形態に係る電気接続箱を、図３に基づいて説明する。図３は本発明の第２の実施形態に係る電気接続箱を示す断面図である。また、図３において、前述した第１の実施形態と同一構成部分には同一符号を付して説明を省略する。
【００３０】
上記電気接続箱１Ｂは、図３に示すように、各種電気部品１５，１６が取り付けられるケース本体２Ｂと、このケース本体２Ｂの下面側に取り付けられるカバーとしてのロアカバー３Ｂと、ケース本体２Ｂの上面側に取り付けられるアッパカバー４と、ケース本体２Ｂにロアカバー３Ｂが取り付けられることによってこれらケース本体２Ｂとロアカバー３Ｂとで円筒状に構成されるハーネス通し口５Ｂと、該ハーネス通し口５Ｂを通されるハーネス８と、該ハーネス８の外周に巻かれかつハーネス通し口５Ｂの内側に位置付けられる弾性を有するシートとしての防水シート９と、を有している。また、ケース本体２Ｂとロアカバー３ｂとアッパカバー４とは、合成樹脂で構成され、周知の射出成型によって形成されている。
【００３１】
上記ハーネス通し口５Ｂは、ケース本体２Ｂの外壁２１の下縁から円筒を分割した鍔状に立設した立設部６Ｂと、ロアカバー３Ｂの前記外壁２１と重なる外壁３１の上縁から円筒を分割した鍔状に立設した立設部７Ｂと、により構成されている。また、これら立設部６Ｂと立設部７ｂとは、ケース本体２Ｂにロアカバー３Ｂが取り付けられることによって互いに重ねられてハーネス通し口５Ｂを構成する。また、ハーネス通し口５Ｂは、ケース本体２Ｂの内部と外部とにわたって連通している。
【００３２】
また、上記ハーネス通し口５Ｂは、外周に防水シート９が巻かれたハーネス８の外径ｄ１１よりも内径ｃ１２が大きい大径部１３（図３中に二点鎖線で囲んで示す。）と、外周に防水シート９が巻かれたハーネス８の外径ｄ１１よりも内径ｃ１１が小さい小径部１４（図３中に一点鎖線で囲んで示す。）と、を有している。また、「外周に防水シート９が巻かれたハーネス８の外径ｄ１１」とは、防水シート９とハーネス８とを合わせたものの外径である。
【００３３】
また、上記ハーネス通し口５Ｂは、前記大径部１３を構成する円筒状の円筒部５４と、円筒部５４の内面から突出し当該円筒部５４の周方向に沿って直線状に延びた、前記小径部１４を構成する３本のリブ５３と、を有している。これら３本のリブ５３は、互いに間隔をあけて配置されている。即ち、前記円筒部５４は、立設部６Ｂと立設部７Ｂとで構成されている。また、前記リブ５３は、立設部６Ｂの内面と立設部７Ｂの内面とに設けられている。また、前記大径部１３は、円筒部５４のリブ５３が設けられた部分以外を意味している。
【００３４】
上記構成のハーネス通し口５Ｂは、３本のリブ５３が、ハーネス８の外周に巻かれた防水シート９に食い込んで、この防水シート９を圧迫し、この防水シート９をハーネス８の中心に向かって押し潰す。このことにより、防水シート９がハーネス８とハーネス通し口５Ｂの内面、即ち小径部１４の内面、との間を水密に保つ。
【００３５】
このように、本発明では、ハーネス通し口５Ｂの一部分のみが防水シート９に食い込んで、食い込んだ部分によってハーネス８とハーネス通し口５Ｂとの間を止水する。即ち、本発明の「小径部１４」即ち「リブ５３」は、ハーネス８の外周に巻かれた防水シート９に食い込む形状及び寸法に形成されている。
【００３６】
また、上記電気接続箱１Ｂは、ハーネス８の防水シート９が巻かれた部分を立設部６Ｂと立設部７Ｂとの間に位置付けた状態で、前記防水シート９が巻かれた部分を立設部６Ｂと立設部７Ｂとの間に挟むようにしてケース本体２Ｂにロアカバー３Ｂが取り付けられることによって組み立てられる。
【００３７】
上述した本発明によれば、小径部１４のみを防水シート９に食い込ませることでハーネス８とハーネス通し口５Ｂとの間に生じる隙間を埋めることができ、そのために、小さい力でケース本体２Ｂにロアカバー３Ｂを取り付けることができる。
【００３８】
また、上述した実施形態１，２では、カバーとして、ハーネス通し口５Ａ，５Ｂを構成するロアカバー３Ａ，３Ｂを例にあげて説明したが、本発明のカバーは、例えば、前記ハーネス通し口を構成する前記アッパカバーであっても良い。
【００３９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４０】
【図１】本発明の第１の実施形態に係る電気接続箱を示す斜視図である。
【図２】図１中のＡ−Ａ線に沿った断面図である。
【図３】本発明の第２の実施形態に係る電気接続箱を示す断面図である。
【図４】従来の電気接続箱を示す断面図である。
【符号の説明】
【００４１】
１Ａ，１Ｂ  電気接続箱
２Ａ，２Ｂ  ケース本体
３Ａ，３Ｂ  ロアカバー（カバー）
５Ａ，５Ｂ  ハーネス通し口
８  ハーネス
９  防水シート（シート）
１１，１３  大径部
１２，１４  小径部
５０，５４  円筒部
５１  テーパ部
５３  リブ
【図１】
2010136468.tif 000003
【図２】
2010136468.tif 000004
【図３】
2010136468.tif 000005
【図４】
2010136468.tif 000006